(57)【要約】【課題】最下階床を不停止階床に設定したエレベーターの場合、かご内に乗客がそのまま乗車していると不停止階床ではかごの扉が開かずドレンタンク内の水を排水する数分間その乗客は閉じ込められた状態となる問題があった。【解決手段】エレベーターかごに空調設備及びドレンタンクを装備すると共に最下階床にドレン設備を装備し、通常運転時、最下階床が不停止階床に設定されていると共にドレン設備でドレンタンクの排水動作を実施するためのタンク排水運転時、最下階床を停止可能階床に設定したエレベーター制御装置において、ドレンタンク内の排水動作実施時降り遅れた乗客の閉じ込めを防止するため、排水動作開始前にかご操作部のいずれかの釦が操作された場合に、最下階床から停止可能な階床へ再び走行、停止させて乗客を降車させる制御手段を設けた。【選択図】図１
2006306524.tif 000002
【特許請求の範囲】
【請求項１】
エレベーターかごに空調設備及びドレンタンクを装備すると共に最下階床にドレン設備を装備し、通常運転時、上記最下階床が不停止階床に設定されていると共に上記ドレン設備で上記ドレンタンクの排水動作を実施するためのタンク排水運転時、上記最下階床を停止可能階床に設定したエレベーター制御装置において、
上記排水動作のため上記かごを上記最下階床へ走行の際、この最下階床より手前で最も近い降車可能な停止階床に一旦停止させ乗客降車のための戸開閉動作を行う第１制御手段、
上記戸開閉動作後、乗車拒否の報知・表示を行いながら上記最下階床へ走行、停止させ上記排水動作を開始する前に、かご操作部のいずれかの釦が操作された場合に、上記かごを上記最下階床から上記降車可能な停止階床へ再び走行、停止させて乗客降車のための戸開閉動作を行う第２制御手段、
及び乗客降車の後、再び上記最下階床へ走行、停止させ戸閉状態で上記排水動作を行う第３制御手段を備えたことを特徴とするエレベーター制御装置。
【請求項２】
エレベーターかごに空調設備及びドレンタンクを装備すると共に最下階床にドレン設備を装備し、通常運転時、上記最下階床が不停止階床に設定されていると共に上記ドレン設備で上記ドレンタンクの排水動作を実施するためのタンク排水運転時、上記最下階床を停止可能階床に設定したエレベーター制御装置において、
上記排水動作のため上記かごを上記最下階床へ走行の際、この最下階床よりも手前で最も近い降車可能な停止階床に一旦停止させ乗客降車のための戸開閉動作を行う第１制御手段、
上記戸開閉動作後、乗車拒否の報知・表示を行いながら上記最下階床へ走行、停止させ上記排水動作を開始する前に、かご操作部の行先釦が操作され、操作された釦が不停止階床の行先釦であるときは、不停止階である旨報知すると共に上記最下階床から上記降車可能な停止階床へ再び走行、停止させて乗客降車のための戸開閉動作を行い、操作された釦が降車可能な停止階床の行先釦であるときは、この行先釦の階床へ上記最下階床から再び走行、停止させて乗客降車のための戸開閉動作を行う第２制御手段、
及び乗客降車の後、再び上記最下階床へ走行、停止させ戸閉状態で上記排水動作を行う第３制御手段を備えたことを特徴とするエレベーター制御装置。
【発明の詳細な説明】
【技術分野】
【０００１】
この発明は、空調設備を装備したエレベーター制御装置に関するものである。
【背景技術】
【０００２】
空調設備及びドレンタンクをエレベーターかご（以下、単に「かご」という）に、ドレン設備をタンク排水階床である最下階床に装備し、上記ドレンタンク内の水が所定量を超えると、上記空調設備の運転を停止すると共に上記かごを最下階床へ引き戻し、不停止階床に設定されている当該最下階床で上記かご戸を閉じたまま上記ドレンタンクの排水弁を開放して当該ドレンタンク内の水を排水する作業を行うエレベーターにおいては、排水のため上記かごを上記最下階床に向かわせるタンク排水運転時に、上記かごを一旦上記最下階床よりも１階床手前の階床に強制的に停止させて当該かご戸を開くと共に上記かご内の乗客に当該階床で降りるよう報知する手段を備えたものが提案されている（例えば、特許文献１参照）。
【０００３】
【特許文献１】特開平５−２２９７４８号公報
【発明の開示】
【発明が解決しようとする課題】
【０００４】
タンク排水階床である最下階床が不停止階床に設定されているエレベーターの場合、従来は上記特許文献１のように、最下階床よりも１階床手前の停止階床に強制的に停止させ戸を開き、降車を促す報知或は表示を行なっているが、その報知・表示に気づかす、或は通りがかりの利用者が戸を開いたエレベーターにそのまま乗車してしまうと、戸全閉したと同時にかごが最下階床に走行し、ドレンタンクの排水作業を行っている数分間は、かごの戸が開かずかご内の乗客が最下階床で閉じ込められた状態となり、結果としてかご内の乗客に不安感や不快感を与えてしまうという問題がある。
この発明は、かかる問題点を解消することを目的とし、最下階床が不停止階床に設定されているエレベーターにおいて、ドレンタンク内の水を最下階床で排水する際に、かごが一旦最下階床よりも１階床手前の階床に停止した時、乗客が降車せず、或は誤って利用者がそのかごに乗車しても、最下階床で乗客が閉じ込められないようにしたものである。
【課題を解決するための手段】
【０００５】
この発明に係わるエレベーター制御装置は、エレベーターかごに空調設備及びドレンタンクを装備すると共に最下階床にドレン設備を装備し、通常運転時、上記最下階床が不停止階床に設定されていると共に上記ドレン設備で上記ドレンタンクの排水動作を実施するためのタンク排水運転時、上記最下階床を停止可能階床に設定したエレベーター制御装置において、
上記排水動作のため上記かごを上記最下階床へ走行の際、この最下階床より手前で最も近い降車可能な停止階床に一旦停止させ乗客降車のための戸開閉動作を行う第１制御手段、上記戸開閉動作後、乗車拒否の報知・表示を行いながら上記最下階床へ走行、停止させ上記排水動作を開始する前に、かご操作部のいずれかの釦が操作された場合に、上記かごを上記最下階床から上記降車可能な停止階床へ再び走行、停止させて乗客降車のための戸開閉動作を行う第２制御手段、及び乗客降車の後、再び上記最下階床へ走行、停止させ戸閉状態で上記排水動作を行う第３制御手段を備えたものである。
【発明の効果】
【０００６】
この発明のエレベーター制御装置によれば、タンク排水階床である最下階床より手前の降車可能な階床に停止後でタンク排水動作を開始する前までに、降り遅れた乗客が居る場合に、かご操作部のいずれかの釦が操作されれば、かごを一度降車可能な停止階床へ走行させることにより、乗客を降ろすことができる。したがって、最下階床に到着しても閉じ込めの状態がなく、かご内乗客の利便性向上と不安感や不快感を低減することが可能な信頼性の高いエレベーターを提供できる。
【発明を実施するための最良の形態】
【０００７】
以下、図面に基づいて、この発明の実施の形態１を説明する。
なお、各図間において、同一符号は同一あるいは相当部分を示す。
【０００８】
実施の形態１．
実施の形態１におけるエレベーター制御装置は、かごに空調設備（クーラー）及びドレンタンクを装備すると共に最下階床にドレン設備を装備し、通常運転時は上記最下階床が不停止階床で上記ドレンタンクの排水時に上記最下階床を停止可能な階床に設定したものに係り、上記ドレンタンク内の水が所定量を超えると、乗場呼びの受付けをキャンセルし、空調設備の運転を停止すると共にかごを不停止階床である上記最下階床へ引き戻し、当該最下階床で戸を閉じた状態でドレンタンク内の水を排水するものであるが、この排水動作に入る前に、かご内の乗客を降ろすため、かごが一旦最寄の停止階床（通常上記最下床よりも１階床手前の階床）に停止させ戸開したにも拘らず、乗客が降車せず、その逆に誤って利用者がそのかごに乗車して来た場合でも、不停止階床である最下階床で乗客が閉じ込められないようした最下階床タンク排水運転前降車手段を設けたものである。
すなわち、この最下階床タンク排水運転前降車手段は、ドレンタンク内の排水動作実施時に、かごを上記最寄の停止階床に一旦停止させ乗客降車のための戸開閉動作を行う第１制御手段、戸開閉動作後、乗車拒否の報知・表示を行いながら上記最下階床へ走行、停止させ上記タンク排水動作を開始する前、すなわち、その間に降り遅れた乗客によりかご操作部のいずれかの釦が操作された場合に、上記最下階床から停止可能な階床へ再び走行、停止させて乗客を降車させる第２制御手段、及び乗客降車の後、再び上記最下階床へ走行、停止させ戸閉状態でタンク排水動作を行う第３制御手段により構成されている。
【０００９】
図１は、この発明の実施の形態１であるエレベーターのシステム構成図、図２は、この発明の実施の形態１であるエレベーター制御装置の動作を説明するフローチャート図である。
図１において、１は、エレベーター制御盤で、エレベーターの運行管理、速度制御等を一括して実施するもので、この実施の形態１では、タンク排水運転前降車手段１１、不停止階情報１２、行先釦情報１３、水位検出情報１４、表示・報知手段１５、及び最下階床５の手前の階床への走行指令手段１６を備えている。なお、２はかご操作部（操作盤）、３は行先釦、４は戸開閉釦である。
タンク排水運転前降車手段１１は、上記したように最下階床５が不停止階床の場合、タンク排水作業時の乗客閉じ込めを防止するため、不停止階情報１２と水位検出情報１４の情報を得て次のように、アップ走行を指令する。
すなわち、ドレンタンク（図示せず）内の水が所定の水位になりドレンタンク内の排水動作を実施する時に、かごを最下階床５よりも１階床手前の階床に停止させ乗客降車後、最下階床５へ走行して、タンク排水動作を開始することになるが、降り遅れた乗客が出ることが考えられる。このため、タンク排水動作を開始する前までの間に、降り遅れた乗客によりエレベーターかご操作部のいずれかの釦が操作された場合のみ、最下階床５に停止したかごを再び最寄の停止階床へ向けてアップ走行を指令する。
【００１０】
アップ走行開始後は、不停止階情報１２と行先釦情報１３の情報を得て、行先釦操作階が不停止階床でなければ、通常のかご呼び登録を実施し、行先釦操作階が不停止階床であれば、表示・報知手段１５へ「操作階への呼び登録はできません」を出力するように指令し、最寄の不停止階床でない階床にかご呼び登録を実施する。この間に乗車拒否の報知・表示を行いながら走行し、新たに行先釦３が操作された場合この行先釦３に応答し、更に最終かご呼びに応答完了すると、その階床で戸閉し最下階床５への走行指令を出し、かごを最下階床５に停止させドレンタンク内の水を排水する。
また、アップ走行開始後、所定の時間内に行先釦３が操作されなければ、最寄の停止階床（通常最下階床よりも１階床手前の停止階床）で停止し、戸開き所定時間経過後、戸閉して最下階床５への走行を指令し、かごを最下階床５に停止させドレンタンク内の水を排水する。
【００１１】
次に、図２のフローチャートにもとづいてドレンタンク内の水を排水する動作を説明する。
図２において、タンク排水階床である最下階床でドレンタンク内の水を排水する前にかご操作部（操作盤）が操作されると、乗客を降ろすために次の動作が行われる。
ステップＳ１：クーラー運転中、タンク排水階床（最下階床）は不停止階床として運転する。（通常運転モード）
ステップＳ２：タンク内の水位が、所定の水位である例えば８０％を検出するとステップＳ３に進む。そうでなければ通常運転を継続する（ステップＳ１）。
ステップＳ３：クーラの運転を停止し、乗場呼びへの応答を禁止する。（タンク排水運転モード）
ステップＳ４：最終のかご呼びに応答し、戸全閉するとステップＳ５へ進み、応答すべきかご呼び登録がある場合はステップＳ３へ進む。
ステップＳ５：最下階床よりも１階床手前の階床に向って走行し、停止する。
ステップＳ６：かごが最下階床よりも１階床手前の階床から最下階床へ向かって走行開始するまでに操作盤（操作部）のいずれかの釦が操作されたか判定し、操作されなければステップＳ７へ進み、また操作盤（操作部）のいずれかの釦の操作があればステップＳ１０へ進む。
ステップＳ  ７：タンク排水階の最下階床に向って走行し、タンク排水動作を開始するまで間にステップＳ８で判定する。
ステップＳ  ８：かごがタンク排水動作をするまでに操作盤（操作部）のいずれかの釦が操作されたか判定し、操作されなければステップＳ９へ進み、また操作盤のいずれかの釦の操作があればステップＳ１４へ進む。
ステップＳ  ９：タンク内の水を排水する。
ステップＳ１０：行先釦が操作されればステップＳ１１へ進み、操作されなければステップＳ６へ戻る。
ステップＳ１４：行先釦が操作されればステップＳ１１へ進み、操作されなければステップＳ５へ進む。
ステップＳ１１：行先釦の操作が不停止階床かどうか判定し、不停止階床でなければステップＳ１２へ進み、不停止階床であればステップＳ１３へ進む。
ステップＳ１２：通常と同様で操作階床のかご呼び登録を行なう。
ステップＳ１３：不停止階床にはかご呼び登録できないので、最寄の不停止階床でない階床（停止階床）へかご呼び登録を行ない、操作階床へはかご呼び登録できない事を報知する。
ステップＳ１５：登録されたかご呼びのみに応答し、応答完了後ステップＳ７へ進む。
【００１２】
次に実施の形態１の変形例を説明する。
上記の場合、かご内に残った乗客降車のため、最寄階又は行先釦３が操作された階床に向かっていたが、この変形例の場合は、乗車拒否の報知・表示を行いながらかごを一度最上階床へ走行し、それから最下階床よりも１階床手前の階床に停止させ、そのあと最下階床５へ走行することもできる。このようにすれば、昇降の間にかご内に残った乗客がいずれ目的としていた階床の行先釦３を操作し、すべての乗客が目的とする階床で降車できるので、より確実に閉じ込めを防止できる。
【図面の簡単な説明】
【００１３】
【図１】この発明の実施の形態１であるエレベーター制御装置のシステム構成図である。
【図２】この発明の実施の形態１における動作を示すフローチャート図である。
【符号の説明】
【００１４】
１  エレベーター制御盤                  ２  かご操作部
３  行先釦                              ４  戸開閉釦
５  最下階床
１１  最下階床タンク排水運転前降車手段
１２  不停止階情報                      １３  行先釦情報
１４  水位検出情報                      １５  表示・報知手段
１６  最下階床の手前階床への走行指令手段
【図１】
2006306524.tif 000003
【図２】
2006306524.tif 000004